(57)【要約】【課題】    組立て作業を便利にし、且つ工数を低減すること。【解決手段】    軸方向に設けた複数の溝２１の壁面２２，２２に対向して凸縁２２１と係止溝２２２とを成形したフレーム２と、前記フレーム２の溝２１内に収容される複数のアクセサリー３と、前記各アクセサリー３に設けた螺旋穴にねじ込んで前記アクセサリー３を外側へ変位させてアクセサリー３をフレーム２に取り付けるための複数の締付素子と、を含む。【選択図】図２
0003105143.tif 000002
【実用新案登録請求の範囲】
【請求項１】
軸方向に複数の溝が設けてあり、各溝の二つの壁面には対向する凸縁と係止溝とが成形してあり、前記係止溝が前記凸縁と前記溝の間に設置されるフレームと、
螺旋穴が開けてあり、前記螺旋穴に対応する二つの壁面が設けてあり、且つ前記二つの壁面の開放端の外側に係止条が成形してあり、前記二つの壁面が前記フレームの溝内に収容され、前記二つの壁面が前記フレームの二つの凸縁に制限され、且つ前記係止条が前記フレームの係止溝に対応する複数のアクセサリーと、
前記各アクセサリーにある螺旋穴に締められることにより、前記アクセサリーの二つの壁面が外側へ変位し、前記係止条が前記フレームの係止溝としっかりと合うようになる締付素子と、を含むことを特徴とする、
鉛直フレームの構造。
【考案の詳細な説明】
【技術分野】
【０００１】
本考案は鉛直フレームの構造に係り、特に組立てが便利になり、工数を低減できる鉛直フレームの構造に関するものである。
【背景技術】
【０００２】
目下、市販している組合せ式フレームのニーズが高まっており、鉛直フレームが組合せ式フレームを組立てるときに不可欠なものである。いま、市販されている組合せ式フレームの鉛直フレームの構造は種々あるが、どのようにして組立てを便利にして、工数を低減できるかについては、メーカの長年の追求テーマとなっている。
【０００３】
図１は従来の鉛直フレームの分解斜視図である。従来の鉛直フレームは、一つのフレーム１１と、複数のアクセサリー１２とにより構成される。前記フレーム１１にはその軸方向に複数の溝１３が設けてあり、各溝１３の対向する壁面にはそれぞれ凸縁１３１が設けてある。各アクセサリー１２の断面形状はフレーム１１の溝１３の空間とぴったりと合うように成形される。各アクセサリー１２は二つの止め部１２１を有すると共に、複数の螺旋穴１４が適当な箇所に設けられている。
【０００４】
前記フレーム１１の各溝１３内に各アクセサリー１２を設置すると、各アクセサリー１２の止め部１２１が前記溝１３の凸縁１３１に制限される。且つ外側に向いた螺旋穴１４に締付素子１５を螺合して各アクセサリー１２を前記フレーム１１に締め付けることで組立て作業が完成する。このようにして組立てた鉛直フレームを使用すれば、各種の枠の組み立てに適用することができる。
【考案の開示】
【考案が解決しようとする課題】
【０００５】
しかしながら、各アクセサリー１２が溝１３の二つの凸縁１３１，１３１に制限されるので、各アクセサリー１２がフレーム１１の軸方向から挿入しないと、前記溝１３に嵌め込みができないため、鉛直フレームの組立てが不便であり、且つ工数も増加する不具合がある。
【０００６】
本考案の目的は、各アクセサリーが溝の開口方向へ直接に押入れて、締付素子によって各アクセサリーをフレームに締め付けることにより、組立て作業が便利になり、且つ工数が低減できる鉛直フレームの構造を提供する。
【課題を解決するための手段】
【０００７】
上記目的を達成するためになされた本願の考案は、軸方向に複数の溝が設けてあり、各溝の二壁面には対向する凸縁と係止溝とが成形してあり、前記係止溝が前記凸縁と前記溝の間に設置されるフレームと、複数の螺旋穴が開けてあり、前記螺旋穴に対応する二壁面が設けてあり、且つ前記二壁面の開放端の外側には係止条が成形してあり、前記二壁面が前記フレームの溝内に収容され、前記二壁面が前記フレームの二凸縁に制限され、且つ前記係止条が前記フレームの係止溝に対応する複数のアクセサリーと、前記各アクセサリーにある螺旋穴に締められることにより、前記アクセサリーの二壁面が外側へ変位し、前記係止条が前記フレームの係止溝としっかりと合うようになる複数の締付素子と、を含むことを特徴とする鉛直フレームの構造であることを要旨としている。
【考案の効果】
【０００８】
本考案に係る鉛直フレームの構造によれば、各アクセサリーが溝の開口方向へ直接に押入れて、締付素子によって各アクセサリーをフレームに締め付けることで取り付けできるので、組立て作業が便利となり、且つ工数も低減できる。
【考案を実施するための最良の形態】
【０００９】
以下、添付図面を参照して本考案の好適な実施の形態を詳細に説明する。
【００１０】
図２は本考案に係る鉛直フレームの分解斜視図であり、図３は本考案に係る鉛直フレームの組立てた状態の断面図である。
本考案に係る鉛直フレームの構造は、一つのフレーム２と、複数のアクセサリー３と、複数の締付素子４とから構成される。
【００１１】
前記フレーム２は、本実施例では矩形の断面形状を呈し、互いに連通しない複数の溝２１が軸方向に設けてあり、各溝２１の二つの壁面２２には対向する凸縁２２１と係止溝２２２とが成形してある。前記係止溝２２２は前記凸縁２２１と前記溝２１の間に形成される。
【００１２】
前記アクセサリー３は、本実施例では四つの場合を示す。各アクセサリー３は弾性を持つ素材で作製されたものであり、その上に複数の螺旋穴３１が開けてあり、前記螺旋穴３１に対応する二つの壁面３２が設けてあり、且つ前記二つの壁面３２の開放端の外側には係止条３２１が成形してある。前記二つの壁面３２が前記フレーム２の溝２１内に収容され、前記二つの壁面３２が前記フレーム２の二つの凸縁２２１に制限され、且つ前記係止条３２１が前記溝２１の壁面２２の係止溝２２２に対応する。
【００１３】
図４に示すように、前記締付素子４は、前記各アクセサリー３にある螺旋穴３１にねじ込むことにより、前記アクセサリー３の二つの壁面３２が外側へ変位し、前記係止条３２１が前記フレーム２の係止溝２２２としっかりと合うようになる。
【００１４】
本考案に係る鉛直フレームの構造の組み立ては、各アクセサリーが溝の開口方向へ直接に押入れて、締付素子によってアクセサリーにある二つの係止条がフレームの係止溝としっかりと合うので、各アクセサリーがフレームと一体になり、組立て作業が便利になり、且つ工数が低減できる。
【００１５】
図５は本考案に係る鉛直フレームの使用状態を示す概略図である。組立てた各鉛直フレームのフレーム２又はアクセサリー３に、支持部材５を取付けることができ、物置板５１を前記支持部材５の上に置くと、品物などが前記物置板５１に放置することができ、または、物置板５１をフレーム２又はアクセサリー３に直接に締め付けることもできる。そうすると、組立て作業が便利になり、且つ工数が低減できる。
【００１６】
図６は本考案に係る鉛直フレームに電線が配線された状態を示す断面図である。当該フレーム２の溝２１の二つの凸縁２２１と溝２１の底面２１１との間には一空間６が形成される。枠全体の機能を強化するために、電源受口が設けられ、前記電源受口と接続する電線７を前記空間６内に配線することにより、電線７が外部に露出することがないので、全体の外観がもっと綺麗になる。また、鉛直フレームの周りに装飾紙を貼り付けると、組立てた鉛直フレームがもっと綺麗になる。
【図面の簡単な説明】
【００１７】
【図１】従来の鉛直フレームの分解斜視図である。
【図２】本考案に係る鉛直フレームの分解斜視図である。
【図３】本考案に係る鉛直フレームの組立てた状態の断面図１である。
【図４】本考案に係る鉛直フレームの組立てた状態の断面図２である。
【図５】本考案に係る鉛直フレームの使用状態を示す概略図である。
【図６】本考案に係る鉛直フレームに電線が配線された状態を示す断面図である。
【符号の説明】
【００１８】
１１      フレーム
１２      アクセサリー
１２１    止め部
１３      溝
１３１    凸縁
１４      螺旋穴
１５      締付素子
２        フレーム
２１      溝
２１１    底面
２２      壁面
２２１    凸縁
２２２    係止溝
３        アクセサリー
３１      螺旋穴
３２      壁面
３２１    係止条
４        締付素子
５        支持部材
５１      物置板
６        空間
７        電線
【図１】
0003105143.tif 000003
【図２】
0003105143.tif 000004
【図３】
0003105143.tif 000005
【図４】
0003105143.tif 000006
【図５】
0003105143.tif 000007
【図６】
0003105143.tif 000008